(57)【要約】【課題】肥料繰り出しロールを回転操作する操作アーム６３を、駆動自在なクランク体によって往復駆動される連動杆７４によって往復回動操作する田植機用の施肥装置であって、操作アーム６３の連動杆作用位置を変更して行なう繰り出し量調節が精度よく、かつ、能率よくできるようにする。【解決手段】連動杆７４を連動杆側連結部材８１および操作部材側連結部材９１を介して操作アーム６３に連動させてある。連動杆側連結部材８１を操作部材側連結部材９１に対して操作部材６３の長手方向に調節ねじ軸８２のねじピッチによる小調節ピッチで位置変更調節自在に連結する微調節機構８０を備えてある。操作部材側連結部材９１を操作部材６３に対して操作部材６３の長手方向に位置決め凹部９５の配列ピッチによる大調節ピッチで位置変更調節自在に連結する粗調節機構９０を備えてある。【選択図】        図８
2004290110.tif 000002
【特許請求の範囲】
【請求項１】
肥料繰り出しロールを回転操作する往復回動自在な操作部材、駆動自在なクランク体の回転駆動力を往復動力に変換して前記操作部材に伝達する連動杆を備えている田植機用施肥装置であって、
前記操作部材と前記連動杆の間に介在して操作部材と連動杆を連動させる操作部材側連結部材および連動杆側連結部材を備え、
前記操作部材側連結部材を前記操作部材に対して操作部材の半径方向に大調節ピッチで位置変更調節自在に連結する粗調節機構、および、前記連動杆側連結部材を前記操作部材側連結部材に対して前記操作部材の半径方向に小調節ピッチで位置変更調節自在に連結して前記操作部材側連結部材の連動杆連結位置を操作部材の半径方向に変更する微調節機構を備えてある田植機用施肥装置。
【請求項２】
前記粗調節機構に、前記操作部材側連結部材を操作部材に対して締め付け固定するロック具を備えるとともに、前記ロック具のロック操作によって前記微調節機構の調節ネジが回り止めストッパーに当て付け固定されるように構成してある請求項１記載の田植機用施肥装置。
【請求項３】
前記クランク体に、前記連動杆の連結位置をクランク体回動軸芯に対して遠近方向に変更する駆動ピッチ調節機構を備えてある請求項１又は２記載の田植機用施肥装置。
【発明の詳細な説明】
【０００１】
【発明の属する技術分野】
本発明は、肥料繰り出しロールを回転操作する往復回動自在な操作部材、駆動自在なクランク体の回転駆動力を往復動力に変換して前記操作部材に伝達する連動杆を備えている田植機用施肥装置に関する。
【０００２】
【従来の技術】
上記施肥装置において、従来、たとえば特許文献１に示されるように、肥料繰り出しロールを回転操作する往復回動自在な操作部材としての入力側回転体３１ａに、この入力側回転体３１ａの半径方向に並ぶ複数の連結孔３１ｂを設け、この複数の連結孔３１ｂから選択した一つに連動杆としての出力杆３９を連結することにより、入力側回転体３１ａの出力杆作用位置が入力側回転体３１ａの半径方向に変化し、入力側回転体３１ａが出力杆３９によって往復回動される回転角が変化して肥料繰り出しロールによる繰り出し量が変化するようになったものがあった。
【０００３】
【特許文献１】
特開２００２−８４８２５号公報  （  段落番号〔００４２〕、〔００４３〕、図４、図７  ）
【０００４】
【発明が解決しようとする課題】
上記した従来の調節技術を採用して繰り出し量調節を可能にした場合、繰り出し量を所望量に精度よく調節できなくなるとか、繰り出し量を大幅に変更する際に必要な調節手間が大になっていた。
すなわち、従来の調節技術では、操作部材の連動杆が作用する位置を一つの変更手段によって変更するものだから、操作部材の半径方向に並ぶ複数の連動杆連結位置の間隔を比較的大きな間隔にして、操作部材の連動杆作用位置を大調節ピッチで迅速に変更調節できるようにすると、操作部材の連動杆作用位置を小調節ピッチで変更できなくて繰り出し量の微調節ができず、繰り出し量が所望量にならない場合が発生していた。
これに対し、操作部材の連動杆が連結する位置をネジ送りなどによって変更調節できるようにし、操作部材の連動杆作用位置を小調節ピッチで変更して繰り出し量を微細に調節できるようにすると、繰り出し量の変更幅が大きい調節を行なう際、連動杆が操作部材に対して大幅に移動するように調節ネジを数多く回転操作するなど、多くの調節手間が掛かっていた。
【０００５】
本発明の目的は、操作部材の連動杆作用位置を変更して繰り出し量調節を行なうものでありながら適切な調節が能率よく行なえる田植機用施肥装置を提供することにある。
【０００６】
【課題を解決するための手段】
請求項１による発明の構成、作用、効果はつぎのとおりである。
【０００７】
〔構成〕
肥料繰り出しロールを回転操作する往復回動自在な操作部材、駆動自在なクランク体の回転駆動力を往復動力に変換して前記操作部材に伝達する連動杆を備えている田植機用施肥装置において、前記操作部材と前記連動杆の間に介在して操作部材と連動杆を連動させる操作部材側連結部材および連動杆側連結部材を備え、前記操作部材側連結部材を前記操作部材に対して操作部材の半径方向に大調節ピッチで位置変更調節自在に連結する粗調節機構、および、前記連動杆側連結部材を前記操作部材側連結部材に対して前記操作部材の半径方向に小調節ピッチで位置変更調節自在に連結して前記操作部材側連結部材の連動杆連結位置を操作部材の半径方向に変更する微調節機構を備えてある。
【０００８】
〔作用〕
連動杆が操作部材に対して操作部材側連結部材および連動杆側連結部材を介して連結し、連動杆の往復動力が連動杆側連結部材および操作部材側連結部材を介して操作部材に作用するものである。粗調節機構を操作すると、操作部材側連結部材が操作部材に対して大調節ピッチで移動して、操作部材の操作部材側連結部材が連結する位置が操作部材の半径方向に大調節ピッチで変化する。微調節機構を操作すると、連動杆側連結部材が操作部材側連結部材に対して小調節ピッチで移動して、操作部材側連結部材の連動杆が連結する位置が操作部材の半径方向に小調節ピッチで変化するものである。
【０００９】
これにより、粗調節機構を操作すると、操作部材の連動杆が作用する位置が操作部材の半径方向に大調節ピッチで変化して操作部材が連動杆によって往復回動操作される回動角が比較的大きな変化幅で変化し、繰り出しロールが操作部材の往復回動によって操作される回転角が比較的大きな変化幅で変化して、肥料繰り出しロールが単位時間当たりに繰り出す肥料の量が比較的大きい変化幅で変化する。
【００１０】
微調節機構を操作すると、操作部材の連動杆が作用する位置が操作部材の半径方向に小調節ピッチで変化して操作部材が連動杆によって往復回動操作される回動角が比較的小さな変化幅で変化し、繰り出しロールが操作部材の往復回動によって操作される回転角が比較的小さな変化幅で変化して、肥料繰り出しロールが単位時間当たりに繰り出す肥料の量が比較的小さい変化幅で変化する。このとき、粗調節機構の操作も併せて行なうと、この粗調節機構によって決まる繰り出し量が基準繰り出し量となり、この基準繰り出し量から小さい幅で変化した繰り出し量が実際の繰り出し量になる。すなわち、微調節機構と粗調節機構の両調節機構を併せて操作することにより、微調節機構による微調節の効く範囲が、微調節機構のみを操作する場合のその範囲より広くなる。
【００１１】
〔効果〕
従って、粗調節機構と微調節機構を適切に操作することにより、操作部材の連動杆が作用する位置を大調節ピッチや小調節ピッチで変更したり、小調節ピッチによる変更が効く範囲を広くして繰り出し量を所望量に精度よくなるように調節できる。しかも、微調節機構だけで調節するように構成した場合に比し、所望の変更幅が大きいときの連動杆の大幅な移動調節を粗調節機構によって迅速に行なうことができ、全体としては少ない調節手間で能率よくできる。
【００１２】
請求項２による発明の構成、作用、効果はつぎのとおりである。
【００１３】
〔構成〕
請求項１による発明の構成において、前記粗調節機構に、前記操作部材側連結部材を操作部材に対して締め付け固定するロック具を備えるとともに、前記ロック具のロック操作によって前記微調節機構の調節ネジが回り止めストッパーに当て付け固定されるように構成してある。
【００１４】
〔作用〕
操作部材側連結部材の位置調節を行なった後、ロック具を操作して操作部材側連結部材を操作部材に締め付け固定すると、このときのロック具の操作によって微調節機構の調節ネジが回り止めストッパーに当て付けて固定されるものである。これにより、操作部材側連結部材を固定するロック操作を行なうことによって調節ネジの回り止め固定も一挙に行なえる。
【００１５】
〔効果〕
従って、繰り出し量の変更調節を行なうと、操作部材側連結部材を操作部材に、連動杆側連結部材を操作部材側連結部材にそれぞれ固定して施肥装置の駆動を可能にするのであるが、ロック具による操作部材側連結部材の固定と、調節ネジの回り止めによる連動杆側連結部材の固定を一挙に行なって、施肥装置を駆動可能な状態に操作簡単にできる。
【００１６】
請求項３による発明の構成、作用、効果はつぎのとおりである。
【００１７】
〔構成〕
請求項１又は２による発明の構成において、前記クランク体に、前記連動杆の連結位置をクランク体回動軸芯に対して遠近方向に変更する駆動ピッチ調節機構を備えてある。
【００１８】
〔作用〕
駆動ピッチ調節機構を操作すると、クランク体の連動杆連結位置がクランク体回動軸芯に対して遠近方向に変化し、連動杆がクランク体によって駆動されるストロークが変化し、操作部材が連動杆によって往復回動操作される回動角が変化するものである。これにより、駆動ピッチ調節機構を操作すると、操作部材の往復回動によって操作される繰り出しロールの回転角が変化し、肥料繰り出しロールが単位時間当たりに繰り出す肥料の量が変化する。
【００１９】
〔効果〕
従って、粗調節機構や微調節機構だけを操作して肥料の繰り出し量を調節するよりも、駆動ピッチ調節機構も併せて操作することによってさらに広い調節範囲にわたって調節でき、単位面積当たりの散布量を広い調節範囲にわたって調節するとか、単位面積当たりに散布するべき量が異なる数多くの種類の肥料を使用することができる。
【００２０】
【発明の実施の形態】
図１，２に示すように、左右一対の操向操作および駆動自在な前車輪１、左右一対の駆動自在な後車輪２、エンジン１１を有した原動部１０の両横側方に位置する予備苗収容装置３、運転座席４を有した運転部を備えた自走車体の車体フレーム５の後部に、リフトシリンダ７を備えたリンク機構６を介して苗植付装置２０を連結するとともに、前記エンジン１１からの駆動力を、回転軸８を介して苗植付装置２０に伝達するように構成し、自走車体の運転座席４の後側近くに、肥料タンク３１が付いている施肥装置３０を設けて、施肥装置付きの乗用型田植機を構成してある。
【００２１】
すなわち、リフトシリンダ７を操作すると、このリフトシリンダ７がリンク機構６を車体フレーム５に対して上下に揺動操作することにより、苗植付装置２０を接地フロート２１が圃場面上に接地した下降作業状態と、接地フロート２１が圃場面から上方に高く上昇した非作業状態とに昇降操作するようになっている。苗植付装置２０を下降作業状態にして自走車体を走行させると、苗植付装置２０の機体横方向に並んでいる複数個の苗植付機構２２が、この苗植付機構２２の苗植え運動に連動して機体横方向に往復移送される苗載せ台２５に載置されているマット状苗の下端部から一株分のブロック苗を切断して取り出し、圃場面に下降して植付けていくようになっている。これとともに、施肥装置３０により、肥料タンク３１に貯留されている粒状の肥料を各苗植付機構２２による植付け苗の横側近くで圃場に供給していくようになっている。
【００２２】
図１，３に示すように、施肥装置３０は、車体フレーム５の左右一対のメインフレーム５ａに左右一対のブロワ支持板１２、支柱１３などを介して連結している施肥フレーム１４の車体横方向での複数箇所に取付けた肥料繰り出し装置４０、この複数個の肥料繰り出し装置４０の上端部に対して複数の漏斗型底部が各別に連通している前記肥料タンク３１、前記複数個の肥料繰り出し装置４０それぞれの下部に位置する左右一対の車体後方向きの肥料送出筒４１の両方又は一方から苗植付装置２０まで延出している肥料供給管路３２、エンジン１１からの駆動力を後輪伝動ケース９に伝達するように自走車体に設けた回転軸１５の駆動力によって各肥料繰り出し装置４０を駆動する繰り出し駆動装置７０を備えて構成してある。
【００２３】
図１に示すように、前記複数の肥料供給管路３２の苗植付装置２０に至っている端部は、各苗植付機構２２による苗植付け箇所の横側付近に一個ずつ位置するように配置して接地フロート２１に取付けた複数個の作溝施肥具２６に各別に連通させてある。各肥料供給管路３２は、苗植付装置２０が昇降されるに伴って屈曲して苗植付装置２０の昇降を可能にするように可撓性を備えた樹脂ホース３２ａ、この樹脂ホース３２ａを作溝施肥具２６に接続している樹脂管で成る肥料供給管３２ｂを備えて構成してある。
【００２４】
図３，４，５などに示すように、前記複数の肥料繰り出し装置４０それぞれの下部に位置する左右一対の車体前方向きの搬送風供給口４８に対して連通している車体横向きの１本の送風管５０、この送風管５０の長手方向での中央部に吐出部５４ｂが連通するように構成して前記左右一対のブロワ支持板１２にわたって支持させた電動ブロワ５４、この電動ブロワ５４の車体横外向きの吸気部５４ａに対して接続ダクト５６によって基端側が接続し、先端側が原動部１０に位置している吸気ダクト５５を備えて搬送風供給装置を構成してある。
【００２５】
吸気ダクト５５は、車体側面視で先端側がほぼ水平になり、基端側が車体後方側に至るほど高レベルに位置する後上がり傾斜になるように、かつ、車体上下方向視で基端側が車体前後方向に沿い、先端側が車体前方側に至るほど車体横外側に位置する前横外向き傾斜になるように屈曲成形した樹脂製の円形管で構成し、運転部床の下方を車体前後方向に通るように配置して、かつ、基端側の開口が前記接続ダクト５６によって前記ブロワ５４の吸気部５４ａに連通されるようにして、さらに、先端側の吸気口５５ａがブロワ５４の吸気部５４ａの配置レベルより低い配置レベルに位置するようにして車体フレーム５に組み付けてある。吸気ダクト５５の前記吸気口５５ａは、原動部１０に位置するエンジン排気マフラー１１ａの車体後側の近くに車体内向きに開口するようにして配置してある。この吸気ダクト５５の吸気口５５ａは、さらに、エンジン１１の後方に位置している静油圧式無段変速装置１６が備えている冷却ファン１７の風下側にその静油圧式無段変速装置１６に向かって開口するようにして配置してある。
【００２６】
前記静油圧式無段変速装置１６は、エンジン１１の出力軸に対して伝動ベルト１８を介して入力軸１６ａが連動している可変容量形のアキシャルプランジャ形油圧ポンプ（図示せず）、および、この油圧ポンプからの圧油によって駆動される油圧モータ（図示せず）を備えて成り、エンジン１１からの駆動力を前進側と後進側に切り換えて、前進側においても後進側においても無段階に変速してミッションケース１９の内部に位置する走行用ミッション（図示せず）に伝達してこの走行用ミッションから前後輪１，２に伝達するようになっている。また、前記入力軸１６ａに一体回動自在に付いている前記冷却ファン１７は、無段変速装置１６のケーシングを車体横方向に沿って吸気ダクト５５の前記吸気口５５ａの方に向けて流れる冷却風を発生させることにより、無段変速装置１６の空冷を図るようになっている。
【００２７】
これにより、搬送風供給装置は、エンジン排気マフラー１１ａのために温度上昇した空気、静油圧式無段変速装置１６のために温度上昇した空気を、冷却ファン１７による送風力を送り込みに利用して、この送り込みと、ブロワ５４による吸引力とによって、吸気ダクト５５の吸気口５５ａの付近に位置する空気と混合させながら吸気ダクト５５に取り込んでこの吸気ダクト５５からブロワ５４に吸引させ、このブロワ５４によって常温の空気よりも温度が高い肥料搬送風を発生させ、この肥料搬送風を吐出部５４ｂから送風管５０に供給し、この送風管５０によって各肥料繰り出し装置４０の搬送風供給口４８に分配して供給し、各搬送風供給口４８からこれに連通している前記肥料送出筒４１に送り込むようになっている。
【００２８】
つまり、施肥装置３０は、次の如く施肥作業するようになっている。
すなわち、前記繰り出し駆動装置７０によって前記回転軸１５からの駆動力で全ての肥料繰り出し装置４０の肥料繰り出しロール４２を駆動する。そして、各肥料繰り出し装置４０において、肥料繰り出しロール４２により、この肥料繰り出しロール４２の周面に設けてある繰り出し凹部（図示せず）の容積と、肥料繰り出しロール４２の駆動回転数によって決まる単位時間当たりの設定繰り出し量で粒状肥料を肥料タンク３１から各肥料送出筒４１に繰り出し、この繰り出し肥料を、前記搬送風供給装置の送風管５０からの肥料搬送風によって肥料送出筒４１から肥料供給管路３２を通して作溝施肥具２６に供給し、この作溝施肥具２６が圃場の泥土部の植付け苗の横側に作成した溝内に肥料を落下させるようになっている。そして、常温の空気より温度が高い肥料搬送風によって肥料や肥料供給路３２の乾燥を図りながら施肥するようになっている。
【００２９】
図３，５に示すように、各肥料繰り出し装置４０の肥料繰り出しロール４２の回転支軸４３が一体回転自在に備えている支軸ギヤ４３ａに対して係脱自在な施肥クラッチギヤ４４を、車体横向きの１本の六角軸で成る回転式の操作軸４５によって一体回転および摺動自在に支持させ、図６，９の如くこの操作軸４５に対して一対の一方向クラッチ６０，６１およびリンク機構６２を利用してアーム形の操作部材６３を連動させることにより、この操作部材６３によって全ての肥料繰り出し装置４０の肥料繰り出しロール４２を回転操作するようになっている。
【００３０】
すなわち、前記一対の一方向クラッチ６０，６１それぞれの出力側回転体６０ａ，６１ａは、操作軸４５に対して外嵌しており、かつ、操作軸４５の六角形状のために操作軸４５に対して一体回転するように係合している。一対の一方向クラッチ６０，６１は、操作軸４５に対して互いに逆回転方向の回動力を伝達するようになっている。
【００３１】
リンク機構６２は、前記一対の一方向クラッチ６０，６１のうちの第１一方向クラッチ６０の入力側回転体６０ｂから一体回転自在に延出している揺動アーム６４、この揺動アーム６４に一端側が相対回動自在に連結している連動ロッド６５、この連動ロッド６５の他端側が第１アーム部６６ａに相対回動自在に連結しているとともに支持部材６７に連結ピン６７ａを介して回動自在に支持されている揺動リンク６６、この揺動リンク６６の第２アーム部６６ｂに一端側が相対回動自在に連結している連動ロッド６８、この連動ロッド６８の他端側が相対回動自在に連結しているとともに第２一方向クラッチ６１の入力側回転体６１ｂから一体回転自在に延出している揺動アーム６９を備えて構成してある。
【００３２】
つまり、操作部材６３が操作軸４５の軸芯まわりで正回転方向ロに回動操作されると、この回動力が第１一方向クラッチ６０によって操作軸４５に伝達され、この操作軸４５が正回転方向に回転駆動されて全ての肥料繰出し装置４０の施肥クラッチギヤ４４、支軸ギヤ４３ａを介して回転支軸４３を駆動して肥料繰り出しロール４２を繰り出し方向に回転操作する。このとき、操作部材６３の駆動力が第１一方向クラッチ６０の揺動アーム６４、連動ロッド６５、揺動リンク６６、連動ロッド６８、揺動アーム６９を介して第２一方向クラッチ６１の入力側回転体６１ｂに伝達されるが、この入力側回転体６１ｂは操作軸４５に対して逆回転方向に空回りし、第２一方向クラッチ６１は操作軸４５に対して伝動しない。操作部材６３が操作軸４５の軸芯まわりで逆回転方向イに回動操作されると、この回動力が第１一方向クラッチ６０の揺動アーム６４、連動ロッド６５、揺動リンク６６、連動ロッド６８、揺動アーム６９を介して第２一方向クラッチ６１の入力側回転体６１ｂに伝達されてこの第２一方向回転クラッチ６１によって操作軸４５に伝達され、操作軸４５が正回転方向に駆動されて全ての肥料繰り出し装置４０の施肥クラッチギヤ４４、支軸ギヤ４３ａを介して回転支軸４３を駆動して肥料繰り出しロール４２を繰り出し方向に回転操作する。このとき、第１一方向クラッチ６０の入力側回転体６０ｂは操作軸４５に対して逆回転方向に空回りし、この第１一方向クラッチ６０は操作軸４５に対して伝動しない。
【００３３】
これにより、操作部材６３は、操作軸４５の軸芯まわりで往復回動するように駆動されることにより、全ての肥料繰出し装置４０のうちの施肥クラッチギヤ４４が入りになっている肥料繰り出し装置４０の肥料繰り出しロール４２を繰り出し方向に回転操作する。そして、操作部材６３の往復回動駆動される回動角が変化することにより、各肥料繰り出しロール４２の単位時間での回転数が変化し、各肥料繰り出しロール４２が単位時間当たり繰り出す肥料の量が変化するようになっている。
【００３４】
図３，６などに示すように、前記繰り出し駆動装置７０は、前記回転軸１５が一端側を貫通している動力取り出しケース７１の他端側に軸芯７２ａまわりで回転自在に支持されているクランク体７２、このクランク体７２に下端側が球面利用の継ぎ手７３で相対回転自在に連結している連動杆７４、この連動杆７４の上端側を連動杆側連結部材８１および操作部材側連結部材９１を介して前記操作部材６３に連動連結させている繰り出し量調節機構７７を備えて構成してある。
【００３５】
クランク体７２の回転支軸７２ｂが動力取り出しケース７１の内部に位置するベベルギヤ機構（図示せず）によって前記回転軸１５に連動しており、クランク体７２は、回転軸１５の駆動力によって軸芯７２ａまわりで回転するように駆動され、前記継ぎ手７３のクランク体７２に連結している連結ピン７３ａを、前記軸芯７２ａを中心にした回転軌跡に沿わせて回転駆動するようになっている。
【００３６】
図８などに示すように、繰り出し量調節機構７７は、前記連動杆側連結部材８１を有した微調節機構８０と、前記操作部材側連結部材９１を有した粗調節機構９０を備えて構成してある。
【００３７】
図７，８などに示すように、前記粗調節機構９０は、一対の側板部９１ａ、上板部９１ｂ、背板部９１ｃを備えるように板金部材を組み合わせて成り、かつ、上板部９１ｂから連結ボルト９２が上向きに突出している前記操作部材側連結部材９１、この操作部材側連結部材９１の前記一対の側板部９１ａにわたって装着した位置決めピン９３、前記連結ボルト９２にメネジ部９４ａで装着したロック具９４を備えて構成してある。前記連結ボルト９２は、前記操作部材６３の背板部６３ａに操作部材６３の半径方向としての長手方向に沿う長孔形状にして設けたボルト長孔６３ｂを挿通しており、前記ロック具９４は、前記連結ボルト９２の操作部材６３の外側に突出している部分に装着してある。前記位置決めピン９３は、操作部材６３の一対の側板部６３ｃそれぞれの操作部材６３の半径方向としての長手方向に並ぶ複数箇所に設けた位置決め凹部９５に係脱するようになっている。
【００３８】
これにより、粗調節機構９０にあっては、ロック具９４を締め込み操作（ロック操作）してこのロック具９４と連結ボルト９２による締め付け力を発生させ、この締め付け力によって位置決めピン９３を操作部材６３の一対の側板部６３ｃそれぞれのいずれか一つの位置決め凹部９５に入り込ませて押し付けることにより、操作部材側連結部材９１を操作部材６３に対して締め付け連結できるようになっている。また、位置決めピン９３の位置決め凹部９５に対する押し付けを解除し、ロック具９４を操作部材に利用して、操作部材側連結部材９１を前記ボルト長孔６３に沿わせて操作部材６３に対してこれの長手方向にスライド操作し、操作部材６３の一対の側板部６３ｃそれぞれの複数個の位置決め凹部９５から一つを選択し、選択した位置決め凹部９５に位置決めピン９３を装着することにより、操作部材側連結部材９１を操作部材６３に対してこれの長手方向に位置変更して連結できるようになっており、この位置変更は、前記位置決め凹部９５の並列ピッチで決まる大調節ピッチでできるようになっている。
【００３９】
図７，８などに示すように、前記微調節機構８０は、一対の側板部８１ａ、背板部８１ｂを備えるように屈曲成形した板金部材で成り、背板部８１ｂから連結ボルトに兼用の調節ネジ軸８２が突出している前記連動杆側連結部材８１、前記調節ネジ軸８２にメネジ部８３ａで装着した調節ネジ具８３を備えて構成してある。連動杆側連結部材８１の前記一対の側板部８１ａの下端部どうしにわたって装着した連結ピン８４により、連動杆側連結部材８１の下端側と、前記連動杆７４の上端側の連結ボス部７４ａを相対回動自在に連結してある。連動杆側連結部材８１の前記一対の側板部８１ａそれぞれの上端側に操作部材６３の長手方向に沿う方向の長孔に形成したガイド長孔８５を設け、この各ガイド長孔８５に前記操作部材側連結部材９１の前記位置決めピン９３が摺動自在に挿通するようにして、かつ、前記連結ピン８４が前記操作部材側連結部材９１の一対の側板部９１ａそれぞれの下端側に操作部材６３の長手方向に沿う長孔に形成して設けてあるガイド長孔９６を摺動自在に挿通するようにして、連動杆側連結部材８１を操作部材側連結部材９１の内部に組み付けてある。操作部材側連結部材９１の前記背板部９１ｃが、前記調節ネジ軸８２が挿通している切欠き９７の周辺で調節ネジ具８３ａの環状溝８３ｂに入り込んでおり、これにより、調節ネジ具８３は操作部材側連結部材９１に対して相対回転しても、操作部材側連結部材９１に対して操作部材６３の長手方向には相対移動しないように、操作部材側連結部材９１と調節ネジ具８３が係合し合っている。
【００４０】
これにより、微調節機構８０にあっては、調節ネジ具８３と操作部材側連結部材９１の背板部９１ｃの係合により、連結杆側連結部材８１を操作部材側連結部材９１に対して操作部材６３の長手方向に相対移動しないように連結し、連動杆７４を連動杆側連結部材８１を介して操作部材側連結部材９１に連結するようになっている。そして、調節ネジ具８３を回転操作することにより、この調節ネジ具８３が操作部材側連結部材９１の背板部９１ｃを反力部材にして調節ネジ軸８２にネジ送り作用して連動杆側連結部材８１をガイド長孔８５および９６に沿わせて移動操作するため、連動杆側連結部材８１を操作部材側連結部材９１に対して操作部材６３の長手方向に位置変更して連結できるようになっており、この位置変更は、調節ネジ具８３によるネジ送りピッチによって決まる調節ピッチであって、操作部材側連結部材９１の操作部材６３に対する位置変更の調節ピッチより小ピッチの調節ピッチでできるようになっている。
【００４１】
粗調節機構９０の前記ロック具９４を締め込み操作し、位置決めピン９３を位置決め凹部９５に押し付けて操作部材側連結部材９１を操作部材６３に締め付け固定すると、この操作部材側連結部材９１が位置決めピン９３や連結ピン８４を介して連結杆側連結部材８１を操作アーム６３の方に引き寄せ操作し、これに伴って調節ネジ軸８２が調節ネジ具８３を操作アーム６３の方に引き上げ操作して調節ネジ具８３の両方の側面８３ｃのいずれか一方を操作部材６３の一対の側板部６３ｃそれぞれの端面で成る回り止めストッパー９８に当て付け操作するようになっている。すなわち、操作部材側連結部材９１を操作部材６３に対して調節した位置に固定されると、このロック操作によって調節ネジ具８３が回り止めストッパー９８に当て付け固定されて走行や駆動による振動などで回転しないように回り止めされた状態になり、連動杆側連結部材８１を操作部材側連結部材９１に対して調節した位置に固定できるようになっている。
【００４２】
図１０に示すように、前記クランク体７２に、複数個のピン孔１０１を有した駆動ピッチ調節機構１００を備えてある。
前記複数個のピン孔１０１は、一方のピン孔１０１の中心からクランク体７２の前記駆動回動軸芯７２ａまでの距離Ｌ１と、他方のピン孔１０１の中心からクランク体７２の前記駆動回動軸芯７２ａまでの距離Ｌ２が異なるように配置してクランク体７２に設けてある。各ピン孔１０１は、連動杆７４の前記継ぎ手７３の連結ピン７３ａを脱着できる仕様のピン孔にしてある。
【００４３】
これにより、駆動ピッチ調節機構１０１は、継ぎ手７３の連結ピン７３ａを前記複数個のピン孔１０１に付け替えることにより、クランク体７２における連動杆７４の連結位置を、クランク体回動軸芯７２ａからの直線距離が変更前よりも遠くなるとか近くなるように変化したものに変更し、これにより、クランク体７２によって駆動されて往復移動する連動杆７４の移動ストロークを変更して、連動杆７４によって往復駆動される操作部材６３の回動角を変更し、操作部材６３の往復回動によって操作される繰り出しロール４２の回転角を変更するようになっている。
【００４４】
つまり、各肥料繰り出し装置４０の駆動および繰り出し量調節を次の如く行なうようになっている。
すなわち、エンジン１１からの駆動力を左右後輪２に伝達する回転軸１５によって回動駆動されるクランク体７２の回転駆動力を連動杆７４によって往復動力に変換して微調節機構８０の連動杆側連結部材８１、粗調節機構９０の操作部材側連結部材９１を介して操作部材６３に伝達して、この操作部材６３を操作軸４５の軸芯まわりで正回転方向ロと、逆回転方向イに往復回動するように駆動する。正回転方向ロに回動する操作部材６３によって第１一方向クラッチ６０を介して操作軸４５を繰り出し回転方向に回転操作し、この操作軸４５の回転を入り位置になっている施肥クラッチギヤ４４、支軸ギヤ４３ａを介して繰り出しロール支軸４３に伝達し、複数個の施肥繰り出し装置４０のうちの施肥クラッチギヤ４４が入りになっている肥料繰り出し装置４０の肥料繰り出しロール４２を繰り出し方向に回転操作する。また、逆回転方向イに回動する操作部材６３によって第１一方向クラッチ６０の入力側回転体６０ｂ、リンク機構６２、第２一方向クラッチ６１を介して操作軸４５を繰り出し回転方向に回転操作し、この操作軸４５の回転を入り位置になっている施肥クラッチギヤ４４、支軸ギヤ４３ａを介して繰り出しロール支軸４３に伝達し、複数個の施肥繰り出し装置４０のうちの施肥クラッチギヤ４４が入りになっている肥料繰り出し装置４０の肥料繰り出しロール４２を繰り出し方向に回転操作する。
【００４５】
粗調節機構９０を操作すると、操作部材側連結部材９１が操作部材６３に対して大調節ピッチで移動して操作部材６３の操作部材側連結部材９１が連結する位置が操作部材６３の長手方向に大調節ピッチで変化し、操作部材６３の連動杆７４が作用する位置が操作部材６３の半径方向に大調節ピッチで変化して連動杆７４によって往復回動操作される回動角が比較的大きな変化幅で変化し、肥料繰り出しロール４２が単位時間当たりに繰り出す肥料の量を比較的大きい変化幅で変化するように粗調節できる。微調節機構８０を操作すると、連動杆側連結部材８１が操作部材側連結部材９１に対して小調節ピッチで移動して操作部材側連結部材９１の連動杆側連結部材８１が連結する位置が操作部材６３の半径方向に小調節ピッチで変化し、操作部材６３の連動杆７４が作用する位置が操作部材６３の半径方向に小調節ピッチで変化して連動杆７４によって往復回動操作される回動角が比較的小さな変化幅で変化し、肥料繰り出しロール４２が単位時間当たりに繰り出す肥料の量を比較的小さい変化幅で変化するように微調節できる。このとき、駆動ピッチ調節機構１００を併せて操作することにより、連動杆７４によって往復回動操作される操作部材６３の回動角がさらに変化する。これにより、操作部材６３の往復回動によって操作される肥料繰り出しロール４２の回転角がさらに変化し、肥料繰り出しロール４２によって単位時間当たりに繰り出される肥料の量がさらに広い調節範囲にわたって変化する。
【００４６】
粗調節機構９０に併せて微調節機構８０を操作すると、粗調節機構９０による調節によって決まった操作部材６３の連動杆作用位置が基準位置となり、この基準位置から小調節ピッチで変化した連結杆作用位置が実際の連結杆作用位置になり、微調節機構８０による微調節の効く範囲が、粗調節機構９０を操作しないで微調節機構８０のみを操作した場合のその範囲より広くして、繰り出し量調節ができる。このとき、ロック具９４を締め込み操作して調節位置になった操作部材側連結部材９１を操作部材６３に対して固定すれば、この固定操作によって調節ネジ具８３を回り止めストッパー９８に当て付け固定し、調節位置になった連動杆側連結部材８１を操作部材側連結部材９１に対して固定できる。
【００４７】
〔別実施形態〕
上記実施形態の如くアーム形の操作部材６３を採用する他、回動軸芯に沿う方向で扇形や円形であるなど、各種形状の操作部材を採用して実施してもよい。扇形や円形を採用した場合、連動杆側連結部材８１や操作部材側連結部材９１を操作部材の半径方向に位置変更調節自在に連結するように構成すれば、本発明の目的を達成できる。
【図面の簡単な説明】
【図１】施肥装置付き乗用型田植機全体の側面図
【図２】施肥装置付き乗用型田植機全体の平面図
【図３】施肥装置の後面図
【図４】吸気ダクトの平面図
【図５】肥料繰り出し装置の側面図
【図６】粗調節機構及び微調節機構の側面図
【図７】粗調節機構及び微調節機構の分解状態での斜視図
【図８】（イ）は、微調節機構を一方向に調節した状態を示す断面図、（ロ）は、微調節機構を他方向に調節した状態を示す断面図
【図９】操作軸と操作部材の連動状態を示す断面図
【図１０】駆動ピッチ調節機構の側面図
【符号の説明】
４２            肥料繰り出しロール
６３            操作部材
７２            クランク体
７２ａ          クランク体の回動軸芯
７４            連動杆
８０            微調節機構
８１            連動杆側連結部材
８２            調節ネジ
９０            粗調節機構
９１            操作部材側連結部材
９４            ロック具
９８            回り止めストッパー
１００          駆動ピッチ調節機構
【図１】
2004290110.tif 000003
【図２】
2004290110.tif 000004
【図３】
2004290110.tif 000005
【図４】
2004290110.tif 000006
【図５】
2004290110.tif 000007
【図６】
2004290110.tif 000008
【図７】
2004290110.tif 000009
【図８】
2004290110.tif 000010
【図９】
2004290110.tif 000011
【図１０】
2004290110.tif 000012